(57)【要約】【課題】水路における水流を利用して発電を行う発電手段と蓄電手段とを備えた軟水装置において、前記水路への通水時に、前記蓄電手段の蓄電量が十分であるとき、前記発電手段による発電を抑制する。【解決手段】原水に含まれる硬度分を除去する軟水生成部２とともに、水路５における水流を利用して発電を行う発電手段７と、この発電手段７で発電した電力を被給電部であるバルブ駆動装置２２へ供給する電力として蓄える蓄電手段１９とを備える軟水装置１であって、前記発電手段７をバイパスするバイパスライン９を前記水路５と接続し、この水路５への通水時に、前記蓄電手段１９が所定の蓄電量まで蓄電されたとき、または前記水路５への通水を行っている時間が所定時間継続したとき、前記バイパスライン９への通水を行うバイパス通水手段２０を備えることを特徴とする。【選択図】図１
2008080289.tif 000002
【特許請求の範囲】
【請求項１】
原水に含まれる硬度分を除去する軟水生成部とともに、水路における水流を利用して発電を行う発電手段と、この発電手段で発電した電力を被給電部へ供給する電力として蓄える蓄電手段とを備える軟水装置であって、
前記発電手段をバイパスするバイパスラインを前記水路と接続し、この水路への通水時に、前記蓄電手段が所定の蓄電量まで蓄電されたとき、または前記水路への通水を行っている時間が所定時間継続したとき、前記バイパスラインへの通水を行うバイパス通水手段を備えることを特徴とする軟水装置。
【請求項２】
前記バイパス通水手段にあっては、前記水路への通水時に、前記蓄電手段が所定の蓄電量まで蓄電されたとき、または前記水路への通水を行っている時間が所定時間継続したとき、前記水路における前記発電手段が設けられた部分を通水停止状態にするとともに、前記バイパスラインを通水状態にする切替バルブを、前記バイパスラインにおける一端側および他端側のいずれかまたは両方と前記水路との接続部分に備えることを特徴とする請求項１に記載の軟水装置。
【請求項３】
前記バイパス通水手段にあっては、前記水路への通水時に、前記蓄電手段が所定の蓄電量まで蓄電されたとき、または前記水路への通水を行っている時間が所定時間継続したとき、開状態にするバイパスバルブを前記バイパスラインに備えることを特徴とする請求項１に記載の軟水装置。
【発明の詳細な説明】
【技術分野】
【０００１】
この発明は、原水に含まれる硬度分を除去する軟水装置に関し、とくに一般家庭用および病院用など、工業用以外の民生用の軟水装置に関する。
【背景技術】
【０００２】
軟水装置は、軟水生成部として、ナトリウム型またはカリウム型のイオン交換樹脂を収容した樹脂収容部を備える。そして、この樹脂収容部へ原水ラインから原水を供給し、この原水中に含まれる硬度分，すなわちカルシウムイオンおよびマグネシウムイオンをナトリウムイオンまたはカリウムイオンと置換させることにより軟水を生成し、この軟水を軟水ラインから供給するようになっている。
【０００３】
ところで、たとえば前記軟水装置を浴室に設置する場合、装置で使用する電力を装置外部から供給しようとすると、漏電遮断の対策などの煩雑な工事を伴う。そこで、このように装置で使用する電力を装置外部から供給することが困難な場所に設置する軟水装置として、装置の使用時，すなわち原水ラインを介して前記軟水生成部へ原水を供給して軟水を生成し、この軟水を前記軟水生成部から軟水ラインを介して供給するときに、前記原水ライン，前記軟水生成部および前記軟水ラインからなる水路に設けた羽根車をこの水路における水流によって回転させて発電を行う発電手段と、この発電手段で発電した電力を蓄える蓄電手段とを備え、この蓄電手段から装置内の被給電部へ電力を供給する軟水装置が提案されている（たとえば、特許文献１参照）。
【特許文献１】特開２０００−５１８５４号公報
【発明の開示】
【発明が解決しようとする課題】
【０００４】
前記軟水装置では、使用時，すなわち前記水路を水が流れている間は、常に前記羽根車が回転して発電が行われる。しかし、前記蓄電手段における蓄電量が充満状態にあるときにまで、前記発電手段による発電を行う必要はなく、むしろこのような状態で発電を行うことは、前記羽根車の軸受部の磨耗が進行したり、水路を流れてきたゴミなどが前記羽根車に引っかかる可能性が増えたりするなどといった問題がある。
【０００５】
この発明が解決しようとする課題は、水路における水流を利用して発電を行う発電手段と蓄電手段とを備えた軟水装置において、前記水路への通水時に、前記蓄電手段の蓄電量が十分であるとき、前記発電手段による発電を抑制することである。
【課題を解決するための手段】
【０００６】
この発明は、前記課題を解決するためになされたもので、請求項１に記載の発明は、原水に含まれる硬度分を除去する軟水生成部とともに、水路における水流を利用して発電を行う発電手段と、この発電手段で発電した電力を被給電部へ供給する電力として蓄える蓄電手段とを備える軟水装置であって、前記発電手段をバイパスするバイパスラインを前記水路と接続し、この水路への通水時に、前記蓄電手段が所定の蓄電量まで蓄電されたとき、または前記水路への通水を行っている時間が所定時間継続したとき、前記バイパスラインへの通水を行うバイパス通水手段を備えることを特徴とする。
【０００７】
請求項２に記載の発明は、請求項１に記載の前記バイパス通水手段にあっては、前記水路への通水時に、前記蓄電手段が所定の蓄電量まで蓄電されたとき、または前記水路への通水を行っている時間が所定時間継続したとき、前記水路における前記発電手段が設けられた部分を通水停止状態にするとともに、前記バイパスラインを通水状態にする切替バルブを、前記バイパスラインの一端側または他端側と前記水路との接続部分に備えることを特徴とする。
【０００８】
請求項３に記載の発明は、請求項１に記載の前記バイパス通水手段にあっては、前記水路への通水時に、前記蓄電手段が所定の蓄電量まで蓄電されたとき、または前記水路への通水を行っている時間が所定時間継続したとき、開状態にするバイパスバルブを前記バイパスラインに備えることを特徴とする。
【発明の効果】
【０００９】
請求項１に記載の発明によれば、前記水路への通水時に、前記蓄電手段が所定の蓄電量まで蓄電されたとき、または前記水路への通水を行っている時間が所定時間継続したとき、前記バイパス通水手段により、前記バイパスラインへの通水を行うと、前記水路における前記発電手段が設けられた部分の流量を減少させることができる。これにより、前記蓄電手段の蓄電量が十分であるとき、前記発電手段による発電を抑制することができる。
【００１０】
請求項２に記載の発明によれば、前記水路への通水時に、前記蓄電手段が所定の蓄電量まで蓄電されたとき、または前記水路への通水を行っている時間が所定時間継続したとき、前記切替バルブによって前記バイパスラインを通水状態にする一方で、前記水路における前記発電手段が設けられた部分を通水停止状態にすることにより、この部分の水流がなくなる。したがって、前記蓄電手段が所定の蓄電量まで蓄電されたとき、または前記水路への通水を行っている時間が所定時間継続したとき、前記発電手段による発電は行われないことになり、前記蓄電手段の蓄電量が十分であるとき、前記発電手段による発電を抑制することができる。
【００１１】
請求項３に記載の発明によれば、前記水路への通水時に、前記蓄電手段が所定の蓄電量まで蓄電されたとき、または前記水路への通水を行っている時間が所定時間継続したとき、前記バイパスバルブを開状態にすることにより、前記バイパスラインへの通水が行われ、前記水路における前記発電手段が設けられた部分の流量を減少させることができる。これにより、前記蓄電手段の蓄電量が十分であるとき、前記発電手段の発電を抑制することができる。
【発明を実施するための最良の形態】
【００１２】
つぎに、この発明の実施の形態について図面に基づいて詳細に説明する。  
（第一実施形態）
まず、この発明の第一実施形態について説明する。図１は、この発明に係る軟水装置の第一実施形態の構成を示す概略的な説明図である。
【００１３】
この第一実施形態で示す軟水装置１は、一般家庭の浴室（図示省略）で使用される湯水に含まれる硬度分を除去する浴室用の軟水装置であり、この軟水装置１は、軟水生成部２と、この軟水生成部２と接続された原水ライン３および軟水ライン４とを備えている。そして、前記原水ライン３，前記軟水生成部２および前記軟水ライン４からなる水路５へ通水することにより、前記軟水生成部２で生成された軟水が前記浴室内へ供給されるようになっている。
【００１４】
前記軟水生成部２は、イオン交換樹脂（図示省略）により、原水中に含まれる硬度分を吸着除去して軟水を生成するようになっている。
【００１５】
前記原水ライン３は、前記浴室内の湯水混合栓（図示省略）と接続されている。また、前記原水ライン３には、原水中のごみなどを捕捉可能なフィルター（図示省略）を備えたフィルター部６，発電手段７および原水バルブ８が上流側からこの順で設けられている。さらに、前記原水ライン３には、前記フィルター部６および前記発電手段７をバイパスするバイパスライン９が接続されている。このバイパスライン９は、前記フィルター部６の上流側の前記原水ライン３と接続された一端側および前記発電手段７と前記原水バルブ８との間の前記原水ライン３と接続された他端側のうち、一端側において三方弁１０を介して前記原水ライン３と接続されている。
【００１６】
前記フィルター部６には、排水バルブ１１が設けられた排水ライン１２が接続されており、この排水ライン１２から、前記原水ライン３を流れる原水を前記フィルター部６を介して装置外へ排出することができるようになっている。
【００１７】
前記軟水ライン４は、前記軟水装置１に設けられている吐水部１３およびシャワー部１４と接続されており、前記吐水部１３と接続されている吐水ライン１５と、前記シャワー部１４と接続されているシャワーライン１６とに分岐している。前記吐水ライン１５には吐水バルブ１７が設けられ、前記シャワーライン１６にはシャワーバルブ１８が設けられている。
【００１８】
前記発電手段７は、前記原水ライン３に設けた羽根車（図示省略）を、この原水ライン３における水流によって回転させて発電を行う発電機（図示省略）を備えて構成されている。前記発電手段７で発電された電力は、蓄電手段１９に蓄えられるようになっている。そして、前記蓄電手段１９に蓄えられた電力は、前記軟水装置１内に備えられた後述するバルブ駆動装置２２（たとえば、モータや電磁コイル）などの被給電部へ供給されるようになっている。
【００１９】
前記蓄電手段１９としては、たとえばコンデンサや蓄電池などが用いられる。ここで、前記蓄電手段１９としてコンデンサを用いれば、後述するように前記バルブ駆動装置２２によって前記原水バルブ８，前記三方弁１０，前記排水バルブ１１，前記吐水バルブ１７および前記シャワーバルブ１８を駆動させるために必要な電圧を低コストで確保することができる。
【００２０】
前記軟水装置１は、前記水路５への通水時に、前記蓄電手段１９が所定の蓄電量まで蓄電されたとき、具体的には前記蓄電手段１９の蓄電容量が充満されたとき、前記バイパスライン９への通水を行うバイパス通水手段２０を備えている。このバイパス通水手段２０としては、前記水路５への通水時に、前記蓄電手段１９が所定の蓄電量まで蓄電されたとき，すなわち前記蓄電手段１９の蓄電容量が充満されたとき、前記原水ライン３における前記発電手段７が設けられた部分を通水停止状態にするとともに、前記バイパスライン９への通水を行う切替バルブとして、前記三方弁１０を備えている。さらに、前記バイパス通水手段２０としては、前記蓄電手段１９と接続された制御部２１と、この制御部２１と接続され、前記蓄電手段１９から給電されて前記三方弁１０を駆動させる前記バルブ駆動装置２２とを備えている。そして、前記制御部２１は、前記原水バルブ８と前記吐水バルブ１７および／または前記シャワーバルブ１８とを開状態にして、前記水路５への通水を行っているときに、前記蓄電手段１９が所定の蓄電量まで蓄電されたとき、前記蓄電手段１９から前記バルブ駆動装置２２へ給電させてこれを駆動させ、前記切替バルブとしての前記三方弁１０によって通水路を切り替え、前記原水ライン３における前記発電手段７が設けられた部分を通水停止状態にするとともに、前記バイパスライン９を通水状態とさせるようになっている。
【００２１】
また、前記制御部２２は、前記蓄電手段１９から前記バルブ駆動装置２２へ給電させてこれを駆動させることにより、前記三方弁１０の他、前記原水バルブ８，前記排水バルブ１１，前記吐水バルブ１７および前記シャワーバルブ１８を開状態または閉状態にするようになっている。
【００２２】
また、前記制御部２１は、前記軟水装置１を使用するとき、使用者が装置筐体（図示省略）に設けられた操作ボタン（図示省略）を操作することにより、前記蓄電手段１９から前記バルブ駆動装置２２へ給電させてこれを駆動させ、前記原水バルブ８と、前記吐水バルブ１７および／または前記シャワーバルブ１８とを開状態にするようになっている。これにより、前記水路５へ通水され、前記軟水生成部２において軟水が生成されるようになっている。また、このときの前記原水ライン３における水流を利用して前記発電手段７による発電が行われるようになっている。
【００２３】
さらに、前記軟水生成部２への通水を停止して、前記原水ライン３における前記発電手段７が設けられた部分に、軟水生成時とは逆方向へ原水を流すようにすることによって、前記羽根車を軟水生成時とは逆方向へ回転させ、この羽根車の軸受部（図示省略）に詰まったごみなどを押し流すため、前記制御部２１は次のような制御を行うようになっていてもよい。すなわち、前記制御部２１は、前記原水ライン３または前記軟水ライン４に設けた流量センサ（図示省略）によって検知される前記水路５の積算通水量が所定量となったとき、前記原水バルブ８を閉状態とし、また前記三方弁１０により、前記原水ライン３における前記発電手段７が設けられた部分を通水停止状態にするとともに、前記バイパスライン９を通水状態にするようになっている。また、このとき前記制御部２１は、前記排水バルブ１１を開状態にするようになっている。
【００２４】
さて、前記軟水装置１の使用時，すなわち前記浴室（図示省略）内へ軟水を供給するときは、前記水路５への通水を行うため、前記バルブ駆動装置２２により、前記原水バルブ８と、前記吐水バルブ１７および／または前記シャワーバルブ１８とを開状態にするとともに、前記三方弁１０により、前記バイパスライン９が通水停止状態となり、前記原水ライン３における前記発電手段７が設けられた部分が通水状態となるようにする。また、前記排水バルブ１１は閉状態にする。これにより、前記湯水混合栓（図示省略）から供給された原水が、前記原水ライン３を介して前記樹脂収容部２へ流入し、この原水中に含まれる硬度分が前記イオン交換樹脂（図示省略）によって除去されて軟水が生成され、この軟水が前記軟水ライン４を介して前記浴室（図示省略）内へ供給される。
【００２５】
そして、前記浴室内へ軟水を供給するとき、前記原水ライン３を原水が流れると、この水流を利用して前記発電手段７で発電され、発電された電力は、前記蓄電手段１９に蓄えられる。この蓄電手段１９に蓄えられた電力は、前記被給電部である前記バルブ駆動装置２２へ供給される。
【００２６】
前記水路５への通水時に、前記蓄電手段１９が所定の蓄電量，すなわち充満状態まで蓄電されたとき、前記バイパス通水手段２０により、前記バイパスライン９への通水を行う。具体的には、前記制御部２１は、前記蓄電手段１９が充満状態まで蓄電されたとき、前記蓄電手段１９から前記バルブ駆動装置２２へ電力を供給させてこれを駆動させ、前記切替バルブとしての前記三方弁１０を駆動させて、前記バイパスライン９を通水状態にする一方で、前記原水ライン３における前記発電手段７が設けられた部分を通水停止状態にする。これにより、前記発電手段７を設けた部分における前記原水ライン３の水流がなくなる。したがって、前記軟水装置１によれば、前記蓄電手段１９が充満状態まで蓄電されたとき、前記発電手段７による発電は行われないことになり、前記蓄電手段１９の蓄電量が十分であるとき、前記発電手段７による発電を抑制することができる。
【００２７】
また、前記制御部２１は、前記流量センサ（図示省略）によって検知される前記水路５の積算通水量が所定量となったとき、前記原水バルブ８を閉状態にし、また前記三方弁１０により、前記原水ライン３における前記発電手段７が設けられた部分を通水停止状態にするとともに、前記バイパスライン９を通水状態にする。また、このとき前記制御部２１は、前記排水バルブ１１を開状態にする。これにより、前記湯水混合栓からの原水は、前記三方弁１０から前記バイパスライン９へ流入し、さらに前記バイパスライン９の他端側（下流側）から前記原水ライン３へ流入してこの原水ライン３を前記発電手段７の方へ向かって下流側から上流側へ向かって流れ、前記排水ライン１２から装置外へ排出される。このとき、前記原水ライン３では、原水が軟水生成時とは逆方向へ流れ、前記羽根車が軟水生成時とは逆方向へ回転し、これにより前記羽根車の軸受部（図示省略）に詰まったごみなどを押し流すことができる。そして、押し流されたごみなどは、前記フィルター部６で捕捉される。
【００２８】
つぎに、前記第一実施形態の変形例について説明する。前記バイパス通水手段２０は、前記水路５への通水を行っている時間が所定時間継続したとき、前記バイパスライン９への通水を行うようになっていてもよい。
【００２９】
ここで、前記所定時間とは、前記原水ライン３の水流を利用して前記発電手段７によって発電を行い、この発電された電力を前記蓄電手段１９へ蓄電することにより、この蓄電手段１９における蓄電量が、ゼロの状態から充満状態になるまでに要する時間である。
【００３０】
前記水路５への通水が行われているか否かは、たとえば前記発電手段７による発電時に前記蓄電手段１９へ入力されるパルスの有無により判定することができる。また、前記水路５への通水が行われているか否かは、前記原水ライン３または前記軟水ライン４にフロースイッチ（図示省略）または圧力スイッチ（図示省略）を設け、これらフロースイッチまたは圧力スイッチから前記制御部２１へ流量検知信号を入力するようにし、この流量検知信号の有無によって判定することもできる。したがって、たとえば前記制御部２１は、前記発電手段７から前記蓄電手段１９へ前記パルスが入力されている時間が所定時間継続したとき、または前記フロースイッチまたは前記圧力スイッチから前記制御部２１へ流量検知信号が入力されている時間が所定時間継続したとき、前記蓄電手段１９から前記バルブ駆動装置２２へ給電させてこれを駆動させ、前記切替バルブとしての前記三方弁１０を駆動させて、前記バイパスライン９を通水状態にする一方で、前記原水ライン３における前記発電手段７を設けた部分を通水停止状態にするようになっていてもよい。
【００３１】
（第二実施形態）
つぎに、この発明の第二実施形態について説明する。図２は、この発明に係る軟水装置の第二実施形態の構成を示す概略的な説明図である。図２において、前記第一実施形態と同一の構成については同一の符号を付してその詳細な説明を省略する。
【００３２】
第二実施形態の軟水装置３０では、前記バイパス通水手段２０として、前記制御部２１および前記バルブ駆動装置２２の他、前記水路５への通水時に、前記蓄電手段１９が所定の蓄電量まで蓄電されたとき、具体的には前記蓄電手段１９の蓄電容量が充満されたとき、前記バルブ駆動装置２２によって開状態にされるバイパスバルブ３１を前記バイパスライン９に備えている。すなわち、前記軟水装置３０は、前記バイパス通水手段２０として、前記制御部２１，前記バルブ駆動装置２２および前記バイパスバルブ３１を備え、前記制御部２１が、前記原水バルブ８と前記吐水バルブ１７および／または前記シャワーバルブ１８とを開状態にして、前記水路５への通水を行っているときに、前記蓄電手段１９が充満状態まで蓄電されたとき、前記蓄電手段１９から前記バルブ駆動装置２２へ給電させてこれを駆動させ、前記バイパスバルブ３１を開状態にして前記バイパスライン９を通水状態とさせるようになっている。
【００３３】
また、この実施形態では、前記原水ライン３に、前記バイパスライン９の一端側（上流側）が接続された部分と、前記フィルター部６との間に、逆止弁３２が設けられている。
【００３４】
また、前記制御部２１は、前記第一実施形態と同様に、前記原水ライン３における前記発電手段７が設けられた部分に、軟水生成時とは逆方向へ原水を流すようにすることによって、前記羽根車（図示省略）の軸受け部に詰まったごみなどを押し流すため、前記流量センサ（図示省略）によって検知される前記水路５の積算通水量が所定量となったとき、前記原水バルブ８を閉状態とするとともに、前記バイパスバルブ３１および前記排水バルブ１１を開状態にするようになっていてもよい。
【００３５】
さて、前記軟水装置３０では、前記第一実施形態と同様にして前記水路５へ通水し、軟水の供給を行う。そして、前記水路５への通水時に、前記蓄電手段１９が所定の蓄電量，すなわち充満状態まで蓄電されたとき、前記バイパス通水手段２０により、前記バイパスライン９への通水を行う。具体的には、前記制御部２１は、前記蓄電手段１９が充満状態まで蓄電されたとき、前記蓄電手段１９から前記バルブ駆動装置２２へ電力を供給させてこれを駆動させ、前記バイパスバルブ３１を開状態にして前記バイパスライン９を通水状態にする。これにより、前記原水ライン３における前記発電手段７を設けた部分の流量を減少させることができる。したがって、前記軟水装置３０によれば、前記蓄電手段１９の蓄電量が十分であるとき、前記発電手段７の発電を抑制することができる。
【００３６】
また、前記制御部２１は、前記流量センサ（図示省略）によって検知される前記水路５の積算通水量が所定量となったとき、前記原水バルブ８を閉状態にするとともに、前記バイパスバルブ３１および前記排水バルブ１１を開状態にする。これにより、前記第一実施形態と同様に、前記湯水混合栓（図示省略）からの原水は、前記バイパスライン９の他端側（下流側）から前記原水ライン３へ流入してこの原水ライン３を下流側から上流側へ向かって流れる。そして、原水ライン３を下流側から上流側へ向かって流れる原水は、前記原水ライン３における前記フィルター部６の上流側に設けられた前記逆止弁３２により、この逆止弁３２よりも上流側へは流れず、前記排水ライン１２から装置外へ排出される。これにより、前記第一実施形態と同様に、前記原水ライン３では、原水が軟水生成時とは逆方向へ流れ、前記羽根車が軟水生成時とは逆方向へ回転し、これにより前記羽根車の軸受部（図示省略）に詰まったごみなどを押し流すことができる。そして、押し流されたごみなどは、前記フィルター部６で捕捉される。
【００３７】
ここで、前記第二実施形態の軟水装置３０にあって、前記バイパス通水手段２０によって前記バイパスライン９への通水を行うのは、前記第一実施形態の変形例と同様に、前記水路５への通水を行っている時間が所定時間継続したときであってもよい。
【００３８】
以上、この発明を前記各実施形態によって説明したが、この発明は前記各実施形態に限られるものではなく、その主旨を変えない範囲で種々変更実施可能なことは勿論である。たとえば、前記発電手段７は、前記軟水ライン４に設けられていてもよい。この場合、前記フィルター部６は、前記発電手段７の上流側の前記軟水ライン４に設けられ、また前記バイパスライン９は、前記フィルター部６および前記発電手段７をバイパスするようにして前記軟水ライン４と接続される。
【００３９】
また、前記第一実施形態において、前記羽根車（図示省略）の軸受け部に詰まったごみを押し流すため、前記原水ライン３における前記発電手段７が設けられた部分に、軟水生成時とは逆方向へ原水を流す制御を行わない場合、図示しないが、前記切替バルブである前記三方弁１０は、前記バイパスライン９の下流側と前記原水ライン３との接続部分に設けられていてもよい。
【００４０】
さらに、図示しないが、前記三方弁１０を、前記バイパスライン９の下流側と前記原水ライン３との接続部分に設けるとともに、前記バイパスライン９の上流側と前記原水ライン３との接続部分に設ければ、前記羽根車（図示省略）の軸受け部に詰まったごみを押し流すため、前記原水ライン３における前記発電手段７が設けられた部分に、軟水生成時とは逆方向へ原水を流す制御を行うことができる。このように前記三方弁１０を前記発電手段７の上流側と下流側とに設けた場合、前記制御部２１は、前記原水バルブ８を閉状態にするとともに、前記排水バルブ１１を開状態にし、さらに前記湯水混合栓からの原水が上流側の前記三方弁１０から前記バイパスライン９へ流入し、下流側の前記三方弁１０から前記原水ライン３を前記発電手段７の方へ向かって流れるように、前記各三方弁１０を制御する。
【図面の簡単な説明】
【００４１】
【図１】この発明に係る軟水装置の第一実施形態の構成を示す概略的な説明図である。
【図２】この発明に係る軟水装置の第二実施形態の構成を示す概略的な説明図である。
【符号の説明】
【００４２】
１，３０  軟水装置
２  軟水生成部
５  水路
７  発電手段
９  バイパスライン
１０  三方弁
１９  蓄電手段
２０  バイパス通水手段
２２  バルブ駆動装置（被給電部）
３１  バイパスバルブ
【図１】
2008080289.tif 000003
【図２】
2008080289.tif 000004